(57)【特許請求の範囲】
【請求項１】
電池と、該電池から電力供給を制御する制御基板と、該制御基板により電池の陽極及び陰極と通電又は遮電される一対の陽陰電極と、を備える本体カバー部材と、
該本体カバー部材に脱着可能に取り付けられ、取り付けた状態で下部で前記一対の陽陰電極が内部に挿入される、貯水可能な電解槽と、
貫通孔を有するノズル部と、
該ノズル部と前記電解槽の上端とを流体的に接続する流路を有する混合部と、を備え、
前記電解槽は、内部で流体的に接続し一体成形された上部と下部とで構成され、該上部と下部との境界に向かって上部の側部一方側から他方側に幅が細くなり、他方側の境界近傍から一方側に向かって仕切り板が設けられる、ことを特徴とする電気分解式水素ガス吸引具。
【請求項２】
前記一対の陽陰電極は、前記電解槽の前記下部の上下及び幅方向全域にわたって配設される、ことを特徴とする請求項１に記載の電気分解式水素ガス吸引具。
【請求項３】
前記電解槽の上部と下部との一方側の側部は略階段上に形成され、前記電解槽の上部と下部との他方側の側部は連続して一つの側部が形成し、前記本体カバー部材の側部に設けられた縦方向の電解槽受容部に電解槽の下部を嵌合挿入される、ことを特徴とする請求項１又は２に記載の電気分解式水素ガス吸引具。
【請求項４】
前記本体カバー部材の電池受容部と電解槽受容部と前記制御基板とを縦方向に並列配置する、ことを特徴とする請求項１〜３のいずれか１項に記載の電気分解式水素ガス吸引具。
【請求項５】
前記本体カバー部材の電池受容部の上方で電力供給されると芳香付き空気を発生する芳香ヒータ部材を備える、ことを特徴とする請求項１〜４のいずれか１項に記載の電気分解式水素ガス吸引具。
【請求項６】
前記制御基板は、ユーザからの水素ガス発生を要求する操作信号とユーザからの芳香付き空気発生を要求する操作信号とを受信すると、それぞれの信号に基づいて前記一対の陽陰電極極及び前記芳香ヒータ部材への電力供給・遮断を制御する、ことを特徴とする請求項５に記載の電気分解式水素ガス吸引具。
【請求項７】
前記制御基板は、前記一対の陽陰電極に電池からの電力が供給されていることを条件として、前記芳香ヒータ部材に電池からの電力を供給するように制御する、ことを特徴とする請求項６に記載の電気分解式水素ガス吸引具。
【請求項８】
前記電解槽の上方に装着されるとともに前記ノズルの底部に装着され、前記電解槽の内部から前記ノズルの貫通孔まで流体的に接続する水素ガス流路を有する構造の混合部を備える、ことを特徴とする請求項１〜４のいずれか１項に記載の電気分解式水素ガス吸引具。
【請求項９】
前記本体カバー部材の電池受容部の上方で電力供給されると芳香付き空気を発生する芳香ヒータ部材を備え、
前記混合部は、前記電解槽の上方及び前記芳香ヒータ部材の上方に装着され、前記芳香ヒータ部材から前記ノズルの貫通孔まで流体的に接続する芳香空気流路を備え、
前記水素ガス流路と前記芳香空気流路とは合流してノズルの貫通孔まで案内される、ことを特徴とする請求項８に記載の電気分解式水素ガス吸引具。
【請求項１０】
前記電解槽から前記混合部の水素ガス流路までの間に混合部側に負圧が作用すると開放動作し、負圧が作用しないときには閉鎖している調整弁を備える、ことを特徴とする請求項８又は９に記載の電気分解式水素ガス吸引具。
【発明の詳細な説明】
【技術分野】
【０００１】
本発明は、携帯可能かつ所定量の水素ガスを容易に供給可能な電気分解式水素ガス吸引具に関する。
【背景技術】
【０００２】
近年、神経変性疾患及び急性肺障害等の様々な動物疾患実験や、メタボリック症候群及び糖尿病等における人間の臨床実験で水素の有効性が示され、医療応用における種々の研究が盛んに行われている。水素は、老化の促進や動脈硬化及び癌等種々の疾患を引き起こす原因となっている悪玉活性酸素（＝ヒドロキシルラジカル）のみを体内から除去し、体の組織や細胞に悪影響を及ぼさないことから、静脈投与、水溶液の経口投与、気体吸入等、体内へ取込む手法は幅広い。【０００３】
特に活性酸素が身体に発生しやすい、運動時や、飲食時、喫煙時、紫外線・汚染環境下での滞在時、睡眠不足、長時間労働等の高いストレスを受けた時等の種々の状態における老化の防止や美容・健康促進のために、水素を身体に取り入れることが推奨されている。特に、昨今の禁煙ブームによる疑似電子たばこや、副流煙を放出しないたばこ等の市場拡大に鑑みると、健康促進につながる水素を喫煙する潜在ニーズは大きいものと考えられる。【０００４】
ここで従来の水素発生方法として概ね２つの方法があり、第一に簡易の方法として、マグネシウム粒子やアルミニウム粒子等と水との化学反応等の水素発生化学反応を利用したものも知られている。この方法では、例えば特許文献１のようにマグネシウム粒子等と水とを化学反応させる水素発生用ケースが提供されている。この水素発生用ケースの場合、内部で水素発生反応をさせ、ケースに設けられた水素透過フィルムを通して水素のみ外部に放出される構成が採用されており、小型で持ち運びし易いものとなっている。【０００５】
しかしながら、上記特許文献１の水素発生ケースの場合、あくまでペットボトルのような容器に投入し、その内部の水分を水素水に変化させ、これを飲料水とする目的に使用されるものであり、そのまま喫煙具のような水素ガス吸引具として利用できるものとはなっていない。さらに、特許文献１の水素発生ケースの構成を水素吸引具用に設計変更し、直接吸引できる構成にしたとしても、使用する際にケースを開けて水を注入し、内部のマグネシウム粒子と水を反応させる工程が必須となるためユーザに煩雑な作業を要求することとなる。具体的には、ユーザに注水用の水の確保させ、注水時のケース開放作業及び注水作業の労力を要し、注水作業時に水濡れすることも考えられる。【０００６】
また、第二の水素発生方法として水の電気分解方法が考えられ、あくまで水素水の生成方法であるが、例えばイオン交換膜と、イオン交換膜の両面にそれぞれ密着する一対の電極板と、イオン交換膜の両面に一対の電極板をそれぞれ密着させる固定部と、を有する電気分解板が載置された電解槽に水を入れ、当該電気分解板に通電することで水素ガスを発生させることが可能な卓上型等の水素発生装置が用いられている（例えば特許文献２参照）。この水素発生装置では、ユーザが任意に移動させて使用することができるため、据え置きでのみ使用可能な水素発生装置と比して使い勝手が向上するものである。【０００７】
しかしながら、上記卓上型等の水素発生装置では、ある程度小型化されたもののユーザがカバン等に入れて持ち歩くのに適したほどの小型化には至っておらず、また、使用するためにコンセントから電源を確保する必要があり、ユーザが体内に吸引する水素ガス吸引具として活用するには、移動範囲には制限があった。また、技術課題として電源を内蔵の電池を用いる場合、電池を内蔵するスペースの確保や電解槽・電池間の遮水が必須になり、小型化に限界があることに加え、コスト高を避けられないため多くのユーザが気軽に入手したり、出先で活用するにはやはり不向きであった。
【先行技術文献】
【特許文献】
【０００８】
【特許文献１】特開２００４−４１９４９号公報
【特許文献２】特願２０１４−０１９６４０号公報
【発明の開示】
【発明が解決しようとする課題】
【０００９】
本発明は、以上の事情に鑑みて創作されたものであり、ユーザが携帯して自由に持ち運べるように充電式で電池を小型かつ安価でありながらも電池内蔵するスペースの確保や電解槽・電池間の遮水を確保しつつり、さらに電解槽内の水分が減った状態も十分な水素ガス発生量を確保し得る構成の電気分解式水素ガス吸引具を提供することを目的としている。
【課題を解決するための手段】
【００１０】
上記の課題を解決すべく、本発明の電気分解式水素ガス吸引具は、
電池と、該電池から電力供給を制御する制御基板と、該制御基板により電池の陽極及び陰極と通電又は遮電される一対の陽陰電極（例えば、本明細書の実施形態におけるメッシュ電極１７）と、を備える本体カバー部材（例えば、本明細書の実施形態における本体カバー１）と、
該本体カバー部材に脱着可能に取り付けられ、取り付けた状態で下部で前記一対の陽陰電極が内部に挿入される、貯水可能な電解槽（例えば、本明細書の実施形態における電解槽１０、電解槽蓋１２）と、
貫通孔を有するノズル部（例えば、本明細書の実施形態におけるノズル５）と、
該ノズル部と前記電解槽の上端とを流体的に接続する流路を有する混合部（例えば、本明細書の実施形態における混合器２）と、を備え、
前記電解槽は、内部で流体的に接続し一体成形された上部（例えば、本明細書の実施形態における貯水本体部４６）と下部（例えば、本明細書の実施形態における縮径部４５）とで構成され、該上部と下部との境界に向かって上部の側部一方側から他方側に幅が細くなり、他方側の境界近傍から一方側に向かって仕切り板（例えば、本明細書の実施形態における仕切り板４５ｃ）が設けられる、【００１１】
本電気分解式水素ガス吸引具によれば、電解槽の側部が上部から下部に向かって一方側から径が小さく又は細くなっており、他方側には内部に仕切り板を設けているため、電気分解により電解槽内の水が減った場合であっても幅方向のどちらに傾斜しても、細くなる境界部分か仕切り板かが邪魔板になって空気層を上部に位置させ、下部は水で充填されるため一対の陽陰電極を水に浸すことができる。したがって、常時、最大の水素発生出力を確保できる。【００１２】
また、本発明の電気分解式水素ガス吸引具の前記一対の陽陰電極は、前記電解槽の前記下部の上下及び幅方向全域にわたって配設されることが好ましい。【００１３】
この電気分解式水素ガス吸引具によれば、幅方向のいずれに傾斜しても一対の陽陰電極が位置する電解槽の下部内に空気層ができないため水が充填されている下部全域ギリギリまで陽陰電極が拡がる形状にすることで常時、下部の貯水量最大で水素発生反応させることできる。【００１４】
また、前記電解槽の上部と下部との一方側の側部は略階段上に形成され、前記電解槽の上部と下部との他方側の側部は連続して一つの側部が形成し、前記本体カバー部材の側部に設けられた縦方向の電解槽受容部に電解槽の下部を嵌合挿入されることが好ましい。【００１５】
この電気分解式水素ガス吸引具の場合、上部より下部を細くする形状として一方側の側部を階段状にすることで下部を縦方向に本体カバー部材に脱着容易に挿入することができ、電解槽の上部も本体カバーの側部で一体的な形状で配設することができる。【００１６】
また具体的に前記電解槽は、縦方向の断面視において、
その上部が、電解槽の幅方向両側をそれぞれ上底及び上底より長い下底とし、電解槽の下部側に上底から下底に傾斜する脚を有する略台形形状であり、
その下部が、電解槽の幅方向両側をそれぞれ下底及び下底より長い上底とし、電解槽の上部側に上底から下底に傾斜する脚を有する略台形形状であり、
電解槽の上部及び下部の前記上底から下底に傾斜する脚と、該上部の下底と下部の上底と、が略共通であり、
る形状であり、該脚のうち前記電解槽の上部の上底から下部の下底を連結する部分を外部と閉鎖する電解槽上部の底面とし、前記脚のうち前記電解槽の下部の上底から上部の下底を連結する部分を外部と閉鎖する電解槽上部の底面とし、前記電解槽の下部の下底から前記脚に沿って電解槽の下部の下底の中間位置まで延びる仕切り板を設ける構成例が提供される。【００１７】
また、上記構成例では、前記本体カバー部材の電池受容部と電解槽受容部と前記制御基板とを縦方向に並列配置することが好ましい。【００１８】
この例によれば、本体カバー部材の中で電解槽の下部を受容する電解槽受容部と電池を受容する電池受容部と制御基板とが縦方向に並列配置されるため小型化でき、携帯性が向上する。【００１９】
また、上記構成例として、
前記本体カバー部材の電池受容部の上方で電力供給されると芳香付き空気を発生する芳香ヒータ部材（例えば、本明細書の実施形態における芳香ヒータ部３２）を備えても良い。【００２０】
芳香付き水素ガスを吸引することを所望するユーザの潜在ニーズに対応することができ、嗜好性も向上する。また、既存の芳香付き電子たばこを使用するユーザが違和感なく、さらに健康増進機能を有するものとして、乗り換える製品を提供することができる。【００２１】
また、芳香性ヒータ部を搭載する場合、
前記制御基板は、ユーザからの水素ガス発生を要求する操作信号とユーザからの芳香付き空気発生を要求する操作信号とを受信すると、それぞれの信号に基づいて前記一対の陽陰電極極及び前記芳香ヒータ部材への電力供給・遮断を制御することとなり、
前記制御基板は、前記一対の陽陰電極に電池からの電力が供給されていることを条件として、前記芳香ヒータ部材に電池からの電力を供給するように制御することが好ましい。【００２２】
ユーザは多様であり、又、同じユーザであっても、無臭の水素ガスの吸引を好むときや、芳香付きの水素ガスの吸引を好むときがある。このような多様なユーザの嗜好に対応することができる。さらに、水素ガスは目視できないものであるため芳香空気のみを吸引してしまうことがないように水素ガスの発生状態を前提に芳香空気を発生させるように制御条件が設定されていれば、より好ましい。【００２３】
また、前記電解槽の上方に装着されるとともに前記ノズルの底部に装着され、前記電解槽の内部から前記ノズルの貫通孔まで流体的に接続する水素ガス流路を有する構造の混合部を備えることができる。【００２４】
この電気分解式水素ガス吸引具の場合、電解槽の蓋部材として機能する部材（混合部）を水素ガスのノズルまでの案内部材として活用することができる。したがって、無駄なく小型化を達成できる。【００２５】
さらに、前記混合部は、前記電解槽の上方及び前記芳香ヒータ部材の上方に装着され、前記芳香ヒータ部材から前記ノズルの貫通孔まで流体的に接続する芳香空気流路を備え、
前記水素ガス流路と前記芳香空気流路とは合流してノズルの貫通孔まで案内されるように構成することが好ましい。【００２６】
混合部を芳香ヒータ部からの流路と上記水素ガス流路とを合流させる構成であり、さらに小型化でき、装飾性も高い。【００２７】
さらに、上記電気分解式水素ガス吸引具では、前記電解槽から前記混合部の水素ガス流路までの間に混合部側に負圧が作用すると開放動作し、負圧が作用しないときには閉鎖してる調整弁（例えば、本明細書の実施形態におけるアンブレラバルブ２３）を備えることが好ましい。【００２８】
ユーザが所望するときのみ水素ガスを吸引することができ、非吸引時には電解槽内に水素ガスを貯留させておくことができる。したがって、吸引時に所望濃度の水素ガスを提供することができる。
【発明の効果】
【００２９】
本発明によれば、ユーザが携帯して自由に持ち運べ、使用時には簡単かつ衛生的に水素吸引することができる安価な水素ガス吸引具を提供することができる。この水素ガス吸引具によれば、使用時にユーザの手力で水素発生具を折り曲げるだけで反応終了まで水素ガスを口内に吸引でき、注水作業もなくユーザへの液漏れもない。さらに、水素発生具は持ち運び・在庫管理にも便利であり、手軽な使い捨てる製品にすることができる。
【図面の簡単な説明】
【００３０】
【図１】本発明の電気分解式水素ガス吸引具の各部材について例示する組立分解図である。
【図２】図２は図１の電気分解式水素ガス吸引具の各方向から見た図を示しており、（ａ）は左側面図、（ｂ）は正面図、（ｃ）は右側面図、（ｄ）は底面図、（ｅ）は天面図を示している。
【図３】図１〜図２の電気分解式水素ガス吸引具を図２（ｃ）のラインＡ−Ａに沿った断面図を示している。
【図４】図１〜図３の電気分解式水素ガス吸引具を図２（ｂ）の紙面左手前上方から見た斜視図、（ｂ）は図２（ｂ）の紙面右手前上方から見た斜視図を示している。
【発明を実施するための形態】
【００３１】
以下、本発明の電気分解式水素ガス吸引具に係る代表的な実施形態を、図１〜図４を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００３２】
図１は、本発明の電気分解式水素ガス吸引具１００の各部材について例示する組立分解図である。また、図２は図１の電気分解式水素ガス吸引具１００の各方向から見た図を示しており、（ａ）は左側面図、（ｂ）は正面図、（ｃ）は右側面図、（ｄ）は底面図、（ｅ）は天面図を示している。本明細書において上下方向、縦方向と称するときは（ｂ）の紙面上下方向、紙面縦方向を意味し、幅方向、横方向、側部側と称するときは（ｂ）の紙面左右方向、紙面横方向、紙面左右側部側を意味している。
【００３３】
また、図３は図１〜図２の電気分解式水素ガス吸引具１００を図２（ｃ）のラインＡ−Ａに沿った断面図を示している。さらに、図４は、図１〜図３の電気分解式水素ガス吸引具１００を図２（ｂ）の紙面左手前上方から見た斜視図、（ｂ）は図２（ｂ）の紙面右手前上方から見た斜視図を示している。
以下、電気分解式水素ガス吸引具１００について図１の組立分解図を主として参照しつつ説明し、説明の便宜上、他の図面について言及することとする。
【００３４】
前述するように図１は本水素ガス吸引具１００の各部材の構成例を示したものである。本体カバー１は、上方に開口し、該開口から縦方向に電池３６全体を挿入・内蔵する電池受容部４３と、電池受容部４３と縦方向に並列し電解槽１０の下部の縮径部４５を上方から挿入し嵌合できる形状を有する電解槽受容部４４と、を設けた樹脂製のケースである。なお、ここで使用する電池３６は充電式リチウム電池が好ましい。
【００３５】
本体カバー１は電池受容部４３側が長く、電解槽受容部４４側が上部が側方に傾斜するように切り取られた形状を有している。電池３６を本体カバー１の底部は、本体ボトムカバー６を蓋部材として電池受容部４３の底部を開放・閉鎖可能であり、組み立て時には電池３６を底部から挿入した後に本体ボトムカバー６で電池受容部４３の底部を閉鎖する。本体ボトムカバー６は十字穴付きネジ３８で閉鎖される。また、本体カバー１は電池受容部４３の側部両側で縦方向に電池３６を挟むように２枚の制御基板（電子基板）３３、４２が配設するスペースが設けられており、本体カバー１の側面側の制御基板３３は主制御基板であり、吸引部３２（芳香発生装置）とメッシュ電極１７（電極板）とへの電力供給を行う電解槽１０側の制御基板４２と、への電池３６からの電力供給を制御する。
【００３６】
本体カバー１の側面には長手方向側面に沿って化粧板９が装着され、化粧板９には上方から順に、制御基板３３への操作ボタン３５を覗かせるボタン穴９ａ、ＬＥＤ基板３０からの光照射のためのＬＥＤ用孔９ｂ、外部電源から電池３６を充電するコネクタを接続させるための充電コネクタ用孔９ｃが設けられている。
【００３７】
操作ボタン３５を３回押すと制御基板３３で電力供給信号が制御基板４２に送信され、制御基板４２により電池３６の電力が基板コネクタ用ハウジング３１、圧着基板２８を介して一対のメッシュ電極（電極板）１７に所定時間供給される。メッシュ電極１７に電力供給されると制御基板３３ではＬＥＤ基板３０に電力供給信号を送信し、ＬＥＤ基板３０はＬＥＤを発光させる。これによりユーザは水素ガス発生状態になっていることをＬＥＤ用孔９ｂにより視認することができる。なお、操作ボタン３５を３回押すことをメッシュ電極１７への電源供給の条件としたのはこの水素ガス吸引具１００をユーザがポケット等に投入して移動する際に、意図せずボタン操作し、電力供給されることを回避する安全条件である。
【００３８】
メッシュ電極１７は、２枚一対に上方に向かって長手に並列配置され、それぞれ陽陰極を形成し、電池３６の陽陰極からの電力に対応する。また、メッシュ電極１７の上端は電解槽１０の縮径部４５と貯水本体部４６との境界線に対応するように斜めに切り取られた形状を有する。メッシュ電極１７の下端は、端子基板２８に起立させ電気的に接続できるように棒形状のチタン電極１６が連結されている。メッシュ電極１７を起立させた状態でメッシュ基板１７と端子基板２８とを遮水するために端子基板２８上に装着するパッキン１３（シリコン等の樹脂製）とチタン電極１６の周囲に取り付けるＯリング（シリコン等の樹脂製：以下、Ｏリングは同様）とが設けられている。
【００３９】
電解槽１０は貯水用容器であり、下方から順に、縮径部４５と貯水本体部４６とが一体に形成され、互いに内部で流体的に接続している。貯水本体部４６は上方に開放されて注水可能になっており、電解槽蓋１２を取り付けることで半閉鎖される。電解槽蓋１２は上下に貫通し、アンブレラバルブ２３やスクリューキャップ１４等を受容する貫通開口１２ａが設けられている。貯水本体部４６は、図３に示すように外側部４６ａが上端から下端に亘って横方向に略平坦な側壁を形成し縮径部４５の上端にそのまま連結し、本体カバー１側の内側部４６ｂは上端から中央下方位置までは外側部４６ａに平行に形成され、中央下方位置から折れ曲がって傾斜する底部４６ｃを有する。底部４６ｃは横方向中間位置まで延びて、縮径部４５の上端に連結する。
【００４０】
また、縮径部４５は、上述するように貯水本体部４６より細くなっており、図３に示すように側壁側の外側部４６ａの上端は、貯水本体部４６の外側部４６ａの下端にそのまま連続連結して下端まで延びており、本体カバー１側の内側部４５ｂの上端は、貯水本体部４６の底部４６ｃの先端（縁部）の位置で下方向に屈曲して連結して内側部４５ｂと平行に下端まで延びている。
【００４１】
さらに、貯水本体部４６の外側部４６ａの下端と縮径部４５の外側部４６ａの上端との連結位置では、貯水本体部４６の底部４６ｃと略同一傾斜し開口４５ｃまで延びる仕切り板４５ｄが設けられている。この仕切り板４５ｄは図３の紙面垂直方向全域内部に亘って延びている。したがって、電解槽１０内に溜まっている水溶液が電気分解され貯水量が減った場合であっても常時、縮径部４５の内部略全域に水が貯留することとなる。具体的には貯水量が減って電解槽１０内に一部空気層ができた際に、まず貯水本体部４６より縮径部４５が細いため通常の起立状態では、よほど貯水量が減らない限り縮径部４５は水が充満しており空気層が発生することはない。
【００４２】
さらにある程度貯水量が減った場合でも本水素ガス吸引具１００が傾斜又は横置きした場合に縮径部４５内に空気層が発生することが考えられるが、本電解槽１０の場合はこのような場合でも縮径部４５内に水が充満する。具体的には、例えば、図３の紙面左方向に傾斜した場合には底部４６ｃが邪魔板となり空気層が貯水本体部４６の内側部４６ｂ側に形成される。逆に、図３の紙面右方向に傾斜した場合には仕切り板４５ｄが邪魔板となり空気層が貯水本体部４６の外側部４６ａ側のみに形成される。したがって、縮径部４５内に配設されるメッシュ電極１７は常時、全体が水と接触することとなり、ユーザが横向きで吸っているような場合でも水素発生量を常に確保することができる。
【００４３】
メッシュ電極１７の上端エッジは、上記縮径部４５及び開口４５ｃの形状に沿って縮径部４５内の水に隙間なく電極が浸るように斜めに切り取られて形成されている。再び図１に戻って電解槽１０の下端は電解槽底１１で閉鎖されるが、電解槽底１１はメッシュ電極１７が挿入される一対の貫通孔が設けられ、電解槽１０の縮径部４５をカバー本体１の電解槽受容部４４に挿入するとメッシュ電極１７が電解槽底１１の貫通孔を通過して縮径部４５内に位置決めされる。
【００４４】
電解槽１０の上端の電解槽蓋１２の貫通開口１２ａに装着されるアンブレラバルブ２３等について説明する。貫通開口１２ａには、上方に開口を有して上下に貫通するスクリューキャップ１４が装着され、その際、スクリューキャップ１４の底部の孔と貫通開口１２ａの底部との間にベントフィルタ１８が介層され、スクリューキャップ１４の下方周囲にＯリング２１が挿入される。ベントフィルタ１８は微小な孔でスクリューキャップ１４の開口内の内圧を調整しながら防水・防塵する機能を有する。また、Ｏリング２１はスクリューキャップ１４の開口の外周壁と貫通開口１２ａの内周壁との間を遮水する。
【００４５】
また、スクリューキャップ１４の開口内には上下方向に動作するアンプレラバルブ２３（シリコン等の可撓性を有する素材製）が取り付けられ、ノズル５（後述）をユーザが吸い込み上方に負圧が作用するとアンプレラバルブ２３が上昇動作し、スクリューキャップ１４の底部の貫通孔、電解槽蓋１２の貫通開口１２ａを介して電解槽１０内と流体的に接続する。したがって、ノズル５を吸い込むと電解槽１０内に上昇貯留している水素ガスを外部に放出することとなる。逆にユーザが吸い込みを中断し負圧が作用しない状態になるとアンプレラバルブ２３が下降動作し、スクリューキャップ１４の底部の貫通孔が閉鎖され、電解槽１０内の水素ガスの放出を閉鎖する。
【００４６】
スクリューキャップ１４やアンブレラバルブ２０が装着された電解槽蓋１２は、混合器２が上方から取り付けられる。混合器２は、図３が示すように下方に延びる筒状部材２ａを有し、筒状部材２ａの下端をスクリューキャップ１４の開口に挿入することで筒状部材２ａがアンブレラバルブ２３からの水素ガスを上方に案内する流路を形成する。この筒状部材２ａの外周壁周りにはＯリング２０が設けられ、スクリューキャップ１４の開口内壁との隙間を封止する。
【００４７】
混合器２と電解槽蓋１２との固定にはにロックボタン３、４を取り付けることでなされている。ロックボタン３、４はそれぞれ、混合器２と電解槽蓋１２との上下方向の隙間位置で前後方向（図３の紙面垂直方向）に挟み込んでスナップ留めしている。さらに、図３に示すように混合器２は、その上部でノズル５方向に向かって流路２ｂを設けている。この流路２ｂは、筒状部材２ａで形成された流路と接続しており、図３の矢印に示すように水素ガスを案内する。
【００４８】
次に、芳香空気の生成する芳香ヒータ部３２について説明する。
まず、本体カバー１の電池受容部４３の上端開口には電池３６の接点端子３７が挿入される。接点端子３７は、大径円筒の底部と小径円筒の上部とか連結して形成され、底部が電池受容部４３の上端の開口に挿入され、電池３６からの電力を芳香ヒータ部３２に供給する。接点端子３７は十字付きの皿ネジ３８で上方からジョイント３７に締結されている。ジョイント３８は小径円筒の底部と大径略円板状の上部とが連結して形成され、接点端子３７の上部がジョイント３８の底部とが入れ子状に嵌め込まれている。
【００４９】
芳香ヒータ部材３２はジョイント８の上面に載置され、上述する混合器２を取り付ける際に、ジョイント８と混合器２とで挟持されて本体カバー１に固定される。芳香ヒータ部材３２は汎用の装置であり、電力が供給されると内部に芳香付き空気が発生し上方に放出される。また、混合器２には前述する筒状部材２ａと並列して下方に延びる筒状部材２ｃが設けられ、この筒所部材２ｃに芳香ヒータ部３２の上端は接続される。したがって、芳香ヒータ部３２から放出される芳香付き空気は、図３の矢印に示すように筒状部材２ｃを通過し、筒状部材２ａを介して流路２ｂを流れてきた水素ガスと合流してノズル５に流れ込んでユーザの口内に放出される。
【００５０】
ノズル５は、底部の大径の略円板部材と上部の筒状部材とが一体連結する構造であり、その底部が混合器２のヒータ部３２の筒状部材２ｃと流体的に接続する天面の開口上に装着される。これによって、流路２ｂからの水素ガス及び／又は筒状部材２ｃからの芳香付き空気がノズル５内から上端外部に放出されることとなる。なお、ノズル５の底部と混合器２との連結部にはＯリング２２が配設され封止されている。
【００５１】
また、芳香ヒータ部３２は、制御基板３３により電池３６がらの電力供給を制御している。上述したようにメッシュ基板１７への電力は本体カバー１に取り付けたボタン３５を３回押すと所定時間供給される。一方、ボタンを長押しすると制御基板３３でメッシュ電極１７への電力供給信号が送信されていないことを条件に接点端子３７を接続し電池３６からの電力が所定時間、芳香ヒータ部３２に供給される。
【００５２】
したがって、ボタン３５を３回押すとユーザがノズル５を吸い込むと水素ガスがノズル５から放出され、所定時間（ＬＥＤ基板３０が発光している間）水素ガス吸引を楽しむことができ、水素ガスが放出されている間に、ボタン３５を長押しすると芳香付きの水素ガスを楽しむことができる。
【００５３】
以上、本発明の水素ガス吸引具についてその実施形態を例示説明してきたが、本発明はこれに限定されるものではなく、特許請求の範囲および明細書等の記載の精神や教示を逸脱しない範囲で他の変形例や改良例が得られることが当業者は理解できるであろう。
【産業上の利用可能性】
【００５４】
本発明の電気分解式水素ガス吸引具によれば、ユーザが携帯して自由に持ち運べるように充電式で電池を小型かつ安価でありながらも電池内蔵するスペースの確保や電解槽・電池間の遮水を確保し、さらに電解槽内の水分が減った状態で傾斜しても十分な水素ガス発生量を確保することができる。
【符号の説明】
【００５５】
１００      電気分解式水素ガス吸引具
１          本体カバー  
２          混合器
１３      水素通過部材
１３ａ    フィルム素材（通気性不浸透性材料）
１４      アンプル部
１５      蓋部材
１６      金属材料
１７      容器本体部
１８      水溶液
１９      閉鎖部材
２０      水素
２２      非反応部
２４      金属粒子層
４０      凸形状部
４１      薄肉部
１００、２００  水素ガス吸引具
１０２  吸引具本体部
１０４  吸引外套部
１０５  キャップ部材    
１０６、２０６  連結部
１０８、２０８  吸口部材
１１０、２１０  フィルムパッキン
１１２  調整弁
１１３、２１３  ウィンドウ
１１４  調整口
１１６  カートリッジ
１１７、２１７  空隙
１１８  Ｏリング
【図１】
0006464385.tif 000002
【図２】
0006464385.tif 000003
【図３】
0006464385.tif 000004
【図４】
0006464385.tif 000005